【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
第１流体通路（１８）を有する複数患者用コネクタ（１１６）；
前記複数患者用コネクタ（１１６）に取り外し可能に係合可能である１つ以上の単独患者用コネクタ（１１８）であって、当該単独患者用コネクタ（１１８）が、
遠位端部の反対側に近位端部を有してそれらの間に中心流路（２６）が延在しているハウジング（２０）と；
前記遠位端部の周りに延在するフランジ（２８）と；
前記フランジに取り外し可能に係合されたキャップ（３４）と；
を備える、１つ以上の単独患者用コネクタ；および
前記１つ以上の単独患者用コネクタ（１１８）から前記キャップ（３４）を摺動式に取り外すように構成された滅菌維持配置構成：
を備え、
前記１つ以上の単独患者用コネクタ（１１８）が、前記複数患者用コネクタ（１１６）に取り外し可能に係合可能であり、それらの間に流体経路を確立する、
医療用コネクタアセンブリ。
【請求項２】
前記単独患者用コネクタが、前記ハウジング（２０）の前記遠位端部の少なくとも一部の周りに延在するフランジ（２８）をさらに備える、請求項１に記載の医療用コネクタアセンブリ。
【請求項３】
少なくとも１つのシールをさらに備え、
前記少なくとも１つのシールが、前記フランジ（２８）にまたは第２流体通路の周りに配置されており、
前記少なくとも１つのシールが、前記複数患者用コネクタ（１１６）との摺動式の係合を可能とするように構成されている、請求項２に記載の医療用コネクタアセンブリ。
【請求項４】
前記単独患者用コネクタそれぞれが、前記フランジ（２８）と取り外し可能に係合したキャップ（３４）をさらに備え、
前記キャップ（３４）が、前記単独患者用コネクタ（１１８）を前記複数患者用コネクタ（１１６）に係合させた後に、前記単独患者用コネクタ（１１８）を前記複数患者用コネクタ（１１６）に対して摺動させることによって、前記フランジ（２８）から取り外される、請求項２または３に記載の医療用コネクタアセンブリ。
【請求項５】
前記キャップ（３４）には、前記単独患者用コネクタそれぞれから前記キャップを取り外すことを容易にするためのタブ（３６）が設けられている、請求項４に記載の医療用コネクタアセンブリ。
【請求項６】
前記複数患者用コネクタ（１１６）が、前記単独患者用コネクタを当該複数患者用コネクタ（１１６）に対して摺動式に移動させるにしたがって、前記キャップ（３４）を係合解除させて保持するように構成された少なくとも１つの突出部（５６）をさらに備える、請求項４または５に記載の医療用コネクタアセンブリ。
【請求項７】
前記複数患者用コネクタ（１１６）が、前記単独患者用コネクタそれぞれの少なくとも前記ハウジングを取り囲むように構成された少なくとも１つのシュラウド（５４）をさらに備える、請求項１から６のいずれか１項に記載の医療用コネクタアセンブリ。
【請求項８】
前記複数患者用コネクタ（１１６）が、前記少なくとも１つの単独患者用コネクタ（１１８）を取り外し可能に収容するように構成されたフレーム（５０）をさらに備える、請求項１から７のいずれか１項に記載の医療用コネクタアセンブリ。
【請求項９】
前記単独患者用コネクタ（１１８）それぞれの第２流体通路が、コネクタ（４２）が第２位置にあるときに前記第１流体通路をシールするように構成された少なくとも１つのシール部材（３０）を備える、請求項１から８のいずれか１項に記載の医療用コネクタアセンブリ。
【請求項１０】
前記単独患者用コネクタそれぞれが、前記ハウジング（２０）に対して第１位置と第２位置との少なくとも一方にコネクタ（４２）を可逆的にロックするための少なくとも１つのロッキング機構（２１）をさらに備える、請求項１から９のいずれか１項に記載の医療用コネクタアセンブリ。
【請求項１１】
前記少なくとも１つのロッキング機構（２１）が、前記コネクタ（４２）および前記ハウジングのうちの一方に設けられた１つ以上の弾性タブ（４６）と、前記コネクタ（４２）および前記ハウジング（２０）のうちの他方に設けられた少なくとも１つの対応する凹部と、を備え、
前記１つ以上の弾性タブが、前記１つ以上の対応する凹部と動作可能に係合可能であり、コネクタ素子を前記ハウジングに対して可逆的にロックする、請求項１０に記載の医療用コネクタアセンブリ。
【請求項１２】
前記単独患者用コネクタ（１１８）それぞれが、第１ロッキング機構および第２ロッキング機構を備え、
前記第１ロッキング機構が、コネクタ素子を前記第１位置に可逆的にロックし、
前記第２ロッキング機構が、コネクタ素子を前記第２位置に可逆的にロックする、請求項１０に記載の医療用コネクタアセンブリ。
【請求項１３】
コネクタ（１１８）が、複数使用用コネクタの第１流体通路を通って延在するように、かつ、前記コネクタが第１位置にあるときに前記第１流体通路と第２流体通路との間に流体経路を設けるように構成された先端をさらに備える、請求項１から１２のいずれか１項に記載の医療用コネクタアセンブリ。
【請求項１４】
前記先端が、前記第１流体通路と前記第２流体通路との間にある前記流体経路をシールするために当該先端の周りにある環状シール（５８）を備える、請求項１３に記載の医療用コネクタアセンブリ。
【請求項１５】
第１流体通路を有する複数患者用コネクタ（１１６）；および
前記複数患者用コネクタ（１１６）に取り外し可能に係合可能である１つ以上の単独患者用コネクタ（１１８）であって、当該１つ以上の単独患者用コネクタ（１１８）それぞれが、
遠位端部の反対側に近位端部を有するハウジング（２０）と；
前記ハウジングの前記遠位端部の少なくとも一部の周りに延在するフランジ（２８）と；
前記フランジにあるまたは第２流体通路の周りに配置された少なくとも１つのシールと；
前記ハウジングに取り外し可能に結合され、前記第２流体通路を有するコネクタ（４２）であって、当該コネクタ（４２）が、前記複数患者用コネクタ（１１６）の前記第１流体通路が当該コネクタ（４２）の前記第２流体通路と流体連通する第１位置と、前記複数患者用コネクタ（１１６）の前記第１流体通路が当該コネクタ（４２）の前記第２流体通路と流体連通していない第２位置と、の間で前記ハウジング（２０）に対して移動可能である、コネクタと；
を備える、１つ以上の単独患者用コネクタ；
を備え、
前記単独患者用コネクタ（１１８）それぞれが、前記複数患者用コネクタ（１１６）に対して摺動可能であり、それにより、前記ハウジングの前記遠位端部が、汚染物から保護される、医療用コネクタアセンブリ。
【請求項１６】
前記単独患者用コネクタ（１１８）それぞれが、前記フランジに取り外し可能に係合されたキャップをさらに備え、
前記キャップが、前記単独患者用コネクタを前記複数患者用コネクタに係合させた後に、前記単独患者用コネクタ（１１８）を前記複数患者用コネクタ（１１６）に対して摺動させることによって、前記フランジから取り外される、請求項１５に記載の医療用コネクタアセンブリ。
【請求項１７】
前記単独患者用コネクタ（１１８）それぞれが、前記ハウジングに対して前記コネクタ（４２）を前記第１位置と前記第２位置との少なくとも一方に可逆的にロックするための少なくとも１つのロッキング機構をさらに備える、請求項１５または１６に記載の医療用コネクタアセンブリ。
【請求項１８】
前記コネクタ（４２）が、前記複数患者用コネクタ（１１６）の前記第１流体通路を通って延在するように、かつ、当該コネクタ（４２）が前記第１位置にあるときに前記第１流体通路と前記第２流体通路との間に流体経路を設けるように構成された先端をさらに備える、請求項１５から１７のいずれか１項に記載の医療用コネクタアセンブリ。
【請求項１９】
複数患者用コネクタ；
前記複数患者用コネクタに取り外し可能に係合可能であり、それとの流路を確立する１つ以上の単独患者用コネクタであって、各単独患者用コネクタは、遠位端部の反対側に近位端部を有してそれらの間に中心流路が延在しているハウジングと、前記遠位端部の周りに延在するフランジと、前記フランジに取り外し可能に係合されたキャップと、を有する単独患者用コネクタ；および
前記１つ以上の単独患者用コネクタの前記遠位端部を汚染物に暴露させずに、前記１つ以上の単独患者用コネクタから前記キャップを摺動式に取り外すように構成された滅菌維持配置構成；
を含む医療用コネクタアセンブリ。